(57)【特許請求の範囲】
【請求項１】
受信した放送波に含まれる複数の偏波成分を検出する検出部と、
前記複数の偏波成分のうち自装置の動作に係るデータを搬送する所定の偏波成分の受信状態を判定する受信状態判定部と、
前記所定の偏波成分の受信状態に関する情報を出力する通知部と、
前記複数の偏波成分のうち前記所定の偏波成分とは異なる第１の偏波成分で搬送される情報であって、前記データの配信条件を示す情報を解析する情報解析部と、
を備え、
前記第１の偏波成分が受信でき、前記所定の偏波成分である第２の偏波成分が受信できないと判定されたとき、前記通知部は、前記データを受信できないことを通知する
受信装置。
【請求項２】
受信した放送波に含まれる複数の偏波成分を検出する検出部と、
前記複数の偏波成分のうち自装置の動作に係るソフトウェアを搬送する所定の偏波成分の受信状態を判定する受信状態判定部と、
前記所定の偏波成分の受信状態に関する通知情報を出力する通知部と、
前記複数の偏波成分のうち前記所定の偏波成分とは異なる第１の偏波成分で搬送される告知情報であって、前記ソフトウェアの配信条件を示す告知情報を解析する告知情報解析部と、
を備え、
前記第１の偏波成分が受信でき、前記所定の偏波成分である第２の偏波成分が受信できないと判定されたとき、前記通知部は、前記通知情報として前記ソフトウェアを受信できないことを通知する
受信装置。
【請求項３】
前記第２の偏波成分が受信できないと判定されたとき、前記ソフトウェアの受信経路を通信と判定する受信経路判定部、
を備える
請求項２に記載の受信装置。
【請求項４】
前記受信状態判定部が前記第２の偏波成分の受信に成功した履歴がなく、前記第１の偏波成分を受信できると判定する場合、前記通知部は前記通知情報を出力する
請求項２または請求項３に記載の受信装置。
【請求項５】
前記第１の偏波成分は右旋円偏波成分であり、前記第２の偏波成分は左旋円偏波成分である
請求項１から請求項４のいずれか一項に記載の受信装置。
【請求項６】
送信装置と受信装置とを備える放送システムであって、
前記送信装置は、
複数種類のデータの一部である前記受信装置の動作に係るソフトウェアと他の一部をそれぞれ搬送する偏波成分であって、互いに偏波特性が異なる偏波成分を含む放送波を送信し、
前記受信装置は、
受信した放送波に含まれる複数の偏波成分を検出する検出部と、
前記検出部が検出した偏波成分のうち前記データの一部を搬送する所定の偏波成分の受信状態を判定する受信状態判定部と、
前記所定の偏波成分の受信状態に関する通知情報を出力する通知部と、
前記複数の偏波成分のうち前記所定の偏波成分とは異なる第１の偏波成分で搬送される告知情報であって、前記ソフトウェアの配信条件を示す告知情報を解析する告知情報解析部と、
を備え、
前記第１の偏波成分が受信でき、前記所定の偏波成分である第２の偏波成分が受信できないと判定されたとき、前記通知部は、前記通知情報として前記ソフトウェアを受信できないことを通知する
放送システム。
【請求項７】
受信装置における受信方法であって、
受信した放送波に含まれる複数の偏波成分を検出する検出過程と、
前記複数の偏波成分のうち自装置の動作に係るソフトウェアを搬送する所定の偏波成分の受信状態を判定する受信状態判定過程と、
前記所定の偏波成分の受信状態に関する通知情報を出力する通知過程と、
前記複数の偏波成分のうち前記所定の偏波成分とは異なる第１の偏波成分で搬送される告知情報であって、前記ソフトウェアの配信条件を示す告知情報を解析する告知情報解析過程と、
を有し、
前記第１の偏波成分が受信でき、前記所定の偏波成分である第２の偏波成分が受信できないと判定されたとき、前記通知過程は、前記通知情報として前記ソフトウェアを受信できないことを通知する
受信方法。
【請求項８】
受信装置のコンピュータに、
受信した放送波に含まれる複数の偏波成分を検出する検出手順、
前記複数の偏波成分のうち自装置の動作に係るソフトウェアを搬送する所定の偏波成分の受信状態を判定する受信状態判定手順、
前記所定の偏波成分の受信状態に関する通知情報を出力する通知手順、
前記複数の偏波成分のうち前記所定の偏波成分とは異なる第１の偏波成分で搬送される告知情報であって、前記ソフトウェアの配信条件を示す告知情報を解析する告知情報解析手順、
を実行させるための受信プログラムであって、
前記第１の偏波成分が受信でき、前記所定の偏波成分である第２の偏波成分が受信できないと判定されたとき、前記通知手順は、前記通知情報として前記ソフトウェアを受信できないことを通知する
受信プログラム。
【発明の詳細な説明】
【技術分野】
【０００１】
本発明は、受信装置、放送システム、受信方法及び受信プログラムに関する。
【背景技術】
【０００２】
従来から、デジタルテレビジョン放送を受信するための受信装置には、例えば、特許文献１に記載されているように、放送波の他にも更新ソフトウェアをダウンロードするための１以上の通信経路と接続された放送受信装置がある。該放送受信装置は、自装置の使用状態を監視する使用状態監視手段と、当該使用状態に基づいて、前記更新ソフトウェアをダウンロードする通信経路の優先順位を変更するダウンロード経路変更手段とを具備する。
【０００３】
他方、４Ｋ／８Ｋ超高精細テレビジョン放送（４Ｋ／８Ｋ  ＵＨＤＴＶ：Ｕｌｔｒａ  Ｈｉｇｈ  Ｄｅｆｉｎｉｔｉｏｎ  Ｔｅｌｅｖｉｓｉｏｎ）では、２０１４年１１月現在、データの伝送においてＣＳ（Ｃｏｍｍｕｎｉｃａｔｉｏｎ  Ｓａｔａｌｌｉｔｅ）１１０度衛星を介して右旋円偏波（右旋偏波とも呼ばれる。）が用いられている。周波数の有効活用とサービスの拡充を両立するため、２０１６年から左旋円偏波（左旋偏波とも呼ばれる）の利用が予定されている。そのため、受信装置は、受信した放送波に含まれる右旋円偏波成分と左旋円偏波成分の両者を取得可能な受信処理設備に接続されることが望まれる。
【先行技術文献】
【特許文献】
【０００４】
【特許文献１】特開２０１２−１２９６５７号公報
【発明の概要】
【発明が解決しようとする課題】
【０００５】
しかしながら、受信装置は、右旋円偏波成分と左旋円偏波成分とを取得するための受信設備に接続されるとは限らない。そのため、上述したソフトウェアが左旋円偏波で伝送される場合、必ずしもソフトウェアを更新することができない。但し、ソフトウェアを更新することができない要因として、受信環境における何らかの障害、例えば、降雨による電界強度の低下もある。かかる状態が継続すると、結果としてソフトウェア更新のタイミングを逸してしまい、受信装置の機能を発揮することができないことがある。
【課題を解決するための手段】
【０００６】
本発明は、上記の課題を解決するためになされたものであり、本発明の一態様は、受信した放送波に含まれる複数の偏波成分を検出する検出部と、前記複数の偏波成分のうち自装置の動作に係るデータを搬送する所定の偏波成分の受信状態を判定する受信状態判定部と、前記所定の偏波成分の受信状態に関する情報を出力する通知部と、前記複数の偏波成分のうち前記所定の偏波成分とは異なる第１の偏波成分で搬送される情報であって、前記データの配信条件を示す情報を解析する情報解析部と、を備え、前記第１の偏波成分が受信でき、前記所定の偏波成分である第２の偏波成分が受信できないと判定されたとき、前記通知部は、前記データを受信できないことを通知する受信装置である。
【発明の効果】
【０００７】
本発明によれば、所定の偏波成分で搬送されたソフトウェアの受信状態を通知することができる。
【図面の簡単な説明】
【０００８】
【図１】第１の実施形態に係る放送システムの構成を示すブロック図である。
【図２】第１の実施形態に係る送信装置の構成を示すブロック図である。
【図３】ネットワーク情報の例を示す図である。
【図４】衛星分配システム記述子の一例を示す図である。
【図５】ＤＡＭの例を示す図である。
【図６】コンパティビリティ記述子の例を示す図である。
【図７】告知情報の例を示す図である。
【図８】ＭＰＵダウンロードコンテンツ記述子の例を示す図である。
【図９】ＭＨ−ネットワークダウンロードコンテンツ記述子の例を示す図である。
【図１０】第１の実施形態に係るサーバー装置の構成を示すブロック図である。
【図１１】第１の実施形態に係る受信装置の構成を示すブロック図である。
【図１２】第１の実施形態に係る制御部の構成を示すブロック図である。
【図１３】各偏波成分の受信状態の判定手法を説明するための図である。
【図１４】第１通知情報の表示例を示す図である。
【図１５】第１の実施形態に係る受信処理を示すフローチャートである。
【図１６】第２の実施形態に係る受信処理を示すフローチャートである。
【図１７】第３の実施形態に係る受信処理を示すフローチャートである。
【発明を実施するための形態】
【０００９】
（第１の実施形態）
本発明の第１の実施形態について、図面を参照しながら説明する。
図１は、本実施形態に係る放送システム１の構成を示すブロック図である。放送システム１は、送信装置１１と、サーバー装置２１と、受信装置４１とを含んで構成される。送信装置１１及びサーバー装置２１は、放送事業者が管理する放送設備を構成する。受信装置４１は、受信処理設備３１を介して送信装置１１から放送された放送番組を受信する。受信装置４１は、受信した放送番組の映像を表示し、当該放送番組の音声を再生する。受信装置４１は、各家庭や事業所等に設置されるテレビジョン受像装置である。
【００１０】
送信装置１１は、放送伝送路１２を介して放送に関する各種のデータを放送波として受信処理設備３１に送信する。送信装置１１が送信するデータには、番組データ、ソフトウェア、告知情報、制御情報がある。番組データは、放送番組の内容を示すデータである。ソフトウェアは、受信装置４１の機能の一部または全部を実現するためのコンピュータプログラムである。ソフトウェアの送信は、受信装置４１で用いられている既存のソフトウェアの更新を目的とする。送信される新たなソフトウェアは、例えば、同種類の既存のソフトウェアで発見されたバグを修正したソフトウェア、動作パラメータを変更したソフトウェア、新たな機能が追加もしくは既存の機能の一部が削除されたソフトウェアである。告知情報は、ソフトウェアの配信条件を示す情報である。制御情報は、放送伝送路１２に多重化された各種の情報を多重解除（分離）するための情報である。
【００１１】
送信装置１１は、番組データ、告知情報及び制御情報を放送伝送路１２の第１上り伝送チャネルに、ソフトウェアを放送伝送路１２の第２上り伝送チャネルに割り当てる。送信装置１１は、第１上り伝送チャネル、第２上り伝送チャネルに割り当てたデータを多重化し、上り放送波として放送伝送路１２に送出する。第１上り伝送チャネルと第２上り伝送チャネルは、相互に偏波方向が直交する直線偏波である。第１上り伝送チャネルの周波数帯域（例えば、１４ＧＨｚ帯）の一部は、第２上り伝送チャネルの周波数帯域の一部又は全部と重複してもよい。
【００１２】
放送伝送路１２は、送信装置１１が送信する各種のデータを示す放送波を同時に不特定多数の受信装置４１に一方向的に伝送する伝送路である。放送伝送路１２は、放送衛星１３に積載された中継装置（図示せず）を含んで構成される。中継装置は、送信装置１１から受信した上り放送波の周波数をシフトする。中継装置は、周波数帯域をシフトした上り放送波のうち第１上り伝送チャネルのデータを搬送する第１下り伝送チャネルとして右旋円偏波を生成する。中継装置は、当該上り放送波のうち第２上り伝送チャネルのデータを搬送する第２下り伝送チャネルとして左旋円偏波を生成する。中継装置は、生成した右旋円偏波と左旋円偏波を多重化し、多重化した下り放送波を送信する。上り放送波と下り放送波との間で、偏波特性、周波数を変更することにより相互の干渉を回避することができる。
なお、放送伝送路１２の一部には、通信回線、例えば、送信装置１１から電波を送信するための送信設備までの通信回線が含まれてもよい。以下の説明では、放送伝送路１２を介して各種のデータを送信（または、受信）することを、「放送で送信（または、受信もしくはダウンロード）する」と呼ぶことがある。
【００１３】
サーバー装置２１は、新たに取得したソフトウェアを蓄積するサーバー装置である。サーバー装置２１の所在は、告知情報の一部としてＵＲＬ（Ｕｎｉｆｏｒｍ  Ｒｅｓｏｕｒｃｅ  Ｌｏｃａｔｏｒ）で放送伝送路１２を介して受信装置４１に通知される。サーバー装置２１は、受信装置４１からソフトウェア要求信号を受信したときに、要求されたソフトウェアを受信装置４１に送信する。
【００１４】
通信伝送路２２は、サーバー装置２１と受信装置４１との間で各種のデータを双方向的に伝送する伝送路である。通信伝送路２２は、例えば、有線の大容量の基幹網を有するインターネット、等の広域通信網を含む。通信伝送路２２は、一部に無線のアクセス網を含む通信網、例えば、公衆無線通信網であってもよい。なお、通信伝送路２２を介して各種のデータを送信することを、「通信で送信（受信もしくはダウンロード）する」と呼ぶことがある。
【００１５】
受信処理設備３１は、放送伝送路１２から下り放送波を受信するアンテナと、受信した下り放送波による受信信号を所定の局発周波数でダウンコンバートし中間周波数（ＩＦ：Ｉｎｔｅｒｍｅｄｉａｔｅ  Ｆｒｅｑｕｅｎｃｙ）信号を生成する変換部を備える。受信処理設備３１は、自設備に接続された受信装置４１に、生成したＩＦ信号を出力する。受信処理設備３１は、例えば、受信したＩＦ信号を１本のケーブルで複数の受信装置に伝送する１条配線システムである。また、受信処理設備３１は、円偏波受信用アンテナと、変換部とが、それぞれ別体であってもよい。また、受信処理設備３１と受信装置４１との間にブースターや、分配器、テレビコンセント等が介在してもよい。
【００１６】
受信処理設備３１が備えるアンテナは、例えば、パラボラアンテナである。変換部は、変換後の右旋円偏波成分の周波数帯域と左旋円偏波成分の周波数帯域が互いに重複しないように、右旋円偏波成分と左旋円偏波成分との間で、ＩＦ信号に変換する際に用いられる局発周波数が異なる。ＩＦ信号に変換された変換後の各偏波成分の周波数帯域は、それぞれ異なる物理チャネルとして区分される。言い換えれば、物理チャネルは、各偏波成分の変換前後の周波数帯域ならびにその中心周波数と対応付けられる。以下の説明では、変換後の周波数帯域、中間周波数を、それぞれＩＦ周波数帯域、ＩＦ中間周波数と呼ぶ。
【００１７】
受信装置４１は、送信装置１１から受信処理設備３１を介して受信した各種のデータを受信する。受信装置４１は、受信処理設備３１から入力されたＩＦ信号に基づいて下り放送波に含まれる右旋円偏波成分と左旋円偏波成分を検出する。受信装置４１は、左旋円偏波成分の受信状態を判定し、左旋円偏波成分の受信に関する通知情報を出力する。受信装置４１は、右旋円偏波成分が受信でき、かつ、左旋円偏波成分を受信できないと判定したとき、告知情報が示すソフトウェアを受信できないことを通知する。また、受信装置４１は、左旋円偏波成分を受信できないと判定したとき、ソフトウェアの受信経路を通信と判定してもよい。
また、受信装置４１の前段にブースターや分配器、テレビコンセントが配置されていた場合、それらの特性として、ＩＦ信号を伝送できない周波数帯域がある（例えば、所定の周波数よりも高い周波数帯域）。受信装置４１は、右旋円偏波成分が受信でき、かつ、左旋円偏波成分としてその周波数帯域でのソフトウェアダウンロードが実施されると判定することがある。このとき、受信装置４１は、告知情報が示すソフトウェアを受信できないことを通知し、ソフトウェアの受信経路を通信と判定してもよい。
【００１８】
（送信装置の構成）
次に、本実施形態に係る送信装置１１の構成について説明する。
図２は、本実施形態に係る送信装置１１の構成を示すブロック図である。送信装置１１は、配信データ取得部１１１、番組データ取得部１１２、告知情報取得部１１３、制御情報取得部１１４、多重化部１１５、暗号化部１１６−１、１１６−２及び変調部１１７−１、１１７−２を含んで構成される。送信装置１１には、アンテナ１１８−１、１１８−２が接続されている。
【００１９】
配信データ取得部１１１には、新たなバージョンのソフトウェアが入力される。配信データ取得部１１１は、入力されたソフトウェアを所定の形式、例えば、セクション形式のデータに変換し、配信用のデータ（配信データ）を生成する。配信データ取得部１１１には、生成した配信データを所定の方式、例えば、データカルーセル方式で多重化部１１５を介して放送伝送路１２に送信する。データカルーセル方式は、同一のデータを一定期間繰り返し送信する方式である。
【００２０】
具体的には、配信データ取得部１１１は、入力されたソフトウェアを所定の大きさに分割し、分割したデータ（分割データ）をＭＰＵ（Ｍｅｄｉａ  Ｐｒｏｃｅｓｓｉｎｇ  Ｕｎｉｔ）として所定の大きさに分割する。分割データは、個々のＭＰＵシーケンス番号の昇順に順次ＭＰＵに格納される。また、ＭＰＵの構成情報をデータアセット管理テーブル（ＤＡＭ：Ｄａｔａ  Ａｓｓｅｔ  Ｍａｎａｇｅｍｅｎｔ  Ｔａｂｌｅ）として生成する。配信データは、生成されたＤＡＭとＭＰＵとで形成される。ＤＡＭには、例えば、当該ソフトウェアのメーカ識別（ｍａｋｅｒ＿ｉｄ）、モデル識別（ｍｏｄｅｌ＿ｉｄ）、バージョン識別（ｖｅｒｓｉｏｎ＿ｉｄ）が含まれる。「識別（ｉｄ：ｉｄｅｎｔｉｆｉｅｒ）」とは、個々の事物を識別するための情報であり、「識別子」と呼ばれることもある。
【００２１】
番組データ取得部１１２には、番組データが入力される。番組データは、放送番組を表現する映像データと音声データを含むデータである。番組データ取得部１１２は、入力された番組データについて所定の形式、例えば、ＭＭＴ（ＭＰＥＧ：Ｍｏｖｉｎｇ  Ｐｉｃｔｕｒｅ  Ｅｘｐｅｒｔ  Ｇｒｏｕｐ  Ｍｅｄｉａ  Ｔｒａｎｓｐｏｒｔ）形式に変換し、変換した番組データを多重化部１１５に出力する。
【００２２】
告知情報取得部１１３には、新たなソフトウェアのダウンロードに関する告知情報が入力される。告知情報には、配信されるソフトウェアを特定する情報としてメーカ識別（ｍａｋｅｒ＿ｉｄ）、モデル識別（ｍｏｄｅｌ＿ｉｄ）、バージョン識別（ｖｅｒｓｉｏｎ＿ｉｄ）が含まれる。また、告知情報には、配信時間、別個の配信元であるサーバー装置２１のアドレス、配信元つまり受信（ダウンロード）経路の優先度、等が含まれる。告知情報は、例えば、セクション形式のテーブルであるＭＨ−ＳＤＴＴ（Ｓｏｆｔｗａｒｅ  Ｄｏｗｎｌｏａｄ  Ｔｒｉｇｇｅｒ  Ｔａｂｌｅ）で表される。告知情報取得部１１３は、取得した告知情報を多重化部１１５に出力する。
【００２３】
制御情報取得部１１４には、上述したデータを受信装置４１が受信ならびに分離するための制御情報が入力される。制御情報には、番組データと告知情報の配信と、配信データの配信、それぞれのネットワーク情報が含まれる。ネットワーク情報には、放送伝送路１２で伝送される下り放送波の周波数（ｆｒｅｑｕｅｎｃｙ）、偏波（ｐｏｌａｒｉｓａｔｉｏｎ）、等の物理的条件が含まれる。また、制御情報は、例えば、ＴＬＶ（Ｔｙｐｅ  Ｌｅｎｇｔｈ  Ｖａｌｕｅ）用ネットワーク情報テーブル（ＴＬＶ＿Ｎｅｔｗｏｒｋ＿Ｉｎｆｏｒｍａｔｉｏｎ  Ｔａｂｌｅ（））で表される。制御情報取得部１１４は、取得した制御情報を多重化部１１５に出力する。
【００２４】
多重化部１１５は、番組データ取得部１１２から入力された番組データ、告知情報取得部１１３から入力された告知情報、及び制御情報取得部１１４から入力された制御情報を多重化して、所定の形式（例えば、ＴＬＶ形式）の第１多重化データを生成する。また、
多重化部１１５は、配信データ取得部１１１から入力された配信データを所定の形式の第２多重化データに変換する。多重化部１１５は、生成した第１多重化データを暗号化部１１６−１に出力し、変換した第２多重化データを暗号化部１１６−２に出力する。
【００２５】
暗号化部１１６−１は、多重化部１１５から入力された第１多重化データを所定の暗号化方式（例えば、ＡＥＳ：Ａｄｖａｎｃｅｄ  Ｅｎｃｒｙｐｔｉｏｎ  Ｓｔａｎｄａｒｄ）を用いて暗号化する。暗号化部１１６−１は、暗号化した第１多重化データを変調部１１７−１に出力する。
暗号化部１１６−２は、多重化部１１５から入力された第２多重化データを所定の暗号化方式を用いて暗号化する。暗号化部１１６−２は、暗号化した第２多重化データを変調部１１７−２に出力する。
【００２６】
変調部１１７−１は、暗号化部１１６−１から入力された第１多重化データを所定の搬送周波数でアップコンバートして第１上り伝送チャネルの送信信号を生成する。変調部１１７−１は、生成した送信信号をアンテナ１１８−１に出力する。
変調部１１７−２は、暗号化部１１６−２から入力された第２多重化データを所定の搬送周波数でアップコンバートして第２上り伝送チャネルの送信信号を生成する。変調部１１７−２は、生成した送信信号をアンテナ１１８−２に出力する。
【００２７】
アンテナ１１８−１は、変調部１１７−１から入力された送信信号による第１上り伝送チャネルの送信波を送信する。アンテナ１１８−２は、変調部１１７−２から入力された送信信号による第２上り伝送チャネルの送信波を送信する。第１上り伝送チャネルの送信波と第２上り伝送チャネルの送信波は、互いに偏波方向が直交する。第１上り伝送チャネルの送信波と第２上り伝送チャネルの送信波は、例えば、それぞれ垂直偏波、水平偏波である。これにより、第１上り伝送チャネルの送信波と第２上り伝送チャネルの送信波が多重化した上り送信波が放送衛星１３の中継装置に送信される。
【００２８】
（ネットワーク情報のデータ構造）
次に、各種の情報の配信に係るネットワーク情報の例について説明する。
図３は、ネットワーク情報の例を示す図である。図３に示す例では、ネットワーク情報はＴＬＶ用ネットワーク情報テーブルで表される。ＴＬＶ用ネットワーク情報テーブルは、ＴＬＶストリーム識別（ｔｌｖ＿ｓｔｒｅａｍ＿ｉｄ）のそれぞれについて記述子領域（ｄｅｓｃｒｉｐｔｏｒ（））を含むことができる。ここで、第１上り伝送チャネル及び第２上り伝送チャネルは、ＴＬＶストリーム識別により識別される。第１上り伝送チャネル、第２上り伝送チャネルは、それぞれ第１下り伝送チャネル、第２下り伝送チャネルに対応しているため、受信装置４１は、ＴＬＶストリーム識別により第１下り伝送チャネルと第２下り伝送チャネルを識別することができる。  記述子領域（ｄｅｓｃｒｉｐｔｏｒ（））には、衛星分配システム記述子（Ｓａｔｅｌｌｉｔｅ＿Ｄｅｌｉｖｅｒｙ＿Ｓｙｓｔｅｍ＿Ｄｅｓｃｒｉｐｔｏｒ（））が記述される。
【００２９】
（衛星分配システム記述子のデータ構造）
次に、衛星分配システム記述子のデータ構造について説明する。
図４は、衛星分配システム記述子の例を示す図である。図４に示す例では、衛星分配システム記述子は、周波数（ｆｒｅｑｕｅｎｃｙ）及び偏波（ｐｏｌａｒｉｓａｔｉｏｎ）を含む。周波数（ｆｒｅｑｕｅｎｃｙ）には、それぞれの下り伝送チャネルの中心周波数が記述される。偏波（ｐｏｌａｒｉｓａｔｉｏｎ）には、偏波特性を示す値が記述される。例えば、「１０」、「１１」は、それぞれ左旋円偏波、右旋円偏波を示す値である。
【００３０】
（ＤＡＭのデータ構造）
次に、ソフトウェアの送信に用いられるＤＡＭの例について説明する。
図５は、ＤＡＭの例を示す図である。ＤＡＭは、記述子領域（ｄｅｓｃｒｉｐｔｏｒ（））を有し、当該領域にはコンパティビリティ記述子（ＣｏｍｐａｔｉｂｉｌｉｔｙＤｅｓｃｒｉｐｔｏｒ（））が含まれる。
【００３１】
（コンパティビリティ記述子のデータ構造）
次に、コンパティビリティ記述子のデータ構造について説明する。コンパティビリティ記述子（ｃｏｍｐａｔｉｂｉｌｉｔｙＤｅｓｃｒｉｐｔｏｒ（））には、ＤＡＭやＭＨ−ＳＤＴＴのテーブル識別（ｔａｂｌｅ＿ｉｄ）やグループ領域（ｇｒｏｕｐ）では表しきれない詳細な情報が記述される。
図６は、コンパティビリティ記述子の例を示す図である。図６に示す例では、コンパティビリティ記述子は、モデル（ｍｏｄｅｌ）及びバージョン（ｖｅｒｓｉｏｎ）を含む。モデル（ｍｏｄｅｌ）の上位８ビット、下位８ビットに、それぞれソフトウェアの製作者を示すメーカ識別（ｍａｋｅｒ＿ｉｄ）、対象モデル（機種）を示すモデル識別（ｍｏｄｅｌ＿ｉｄ）が記述される。バージョン（ｖｅｒｓｉｏｎ）には、ソフトウェアのバージョンを示すバージョン識別（ｖｅｒｓｉｏｎ＿ｉｄ）が記述される。
【００３２】
（告知情報のデータ構造）
次に、告知情報取得部１１３が生成する告知情報を表すＭＨ−ＳＤＴＴのデータ構造について説明する。図７は、ＭＨ−ＳＤＴＴの例を示す図である。図７に示す例では、ＭＨ−ＳＤＴＴは、テーブル識別拡張（ｔａｂｌｅ＿ｉｄ＿ｅｘｔｅｎｔｉｏｎ）、ターゲットバージョン（ｔａｒｇｅｔ＿ｖｅｒｓｉｏｎ）、新バージョン（ｎｅｗ＿ｖｅｒｓｉｏｎ）、ダウンロードレベル（ｄｏｗｎｌｏａｄ＿ｌｅｖｅｌ）、バージョン指示（ｖｅｒｓｉｏｎ＿ｉｎｄｉｃａｔｏｒ）バージョン番号（ｖｅｒｓｉｏｎ＿ｎｕｍｂｅｒ）、開始時刻（ｓｔａｒｔ＿ｔｉｍｅ）、配信継続時間（ｄｕｒａｔｉｏｎ）及び記述子領域（ｄｅｓｃｒｉｐｔｏｒｓ（））を含む。
【００３３】
テーブル識別拡張（ｔａｂｌｅ＿ｉｄ＿ｅｘｔｅｎｔｉｏｎ）の上位８ビットには、メーカ識別（ｍａｋｅｒ＿ｉｄ）が記述され、下位８ビットには、モデル識別（ｍｏｄｅｌ＿ｉｄ）が記述される。
ターゲットバージョン（ｔａｒｇｅｔ＿ｖｅｒｓｉｏｎ）には、アップデート対象となるソフトウェアのバージョン識別が記述される。新バージョン（ｎｅｗ＿ｖｅｒｓｉｏｎ）には、送信装置１１が送信するソフトウェアのバージョン識別が記述される。
ダウンロードレベル（ｄｏｗｎｌｏａｄ＿ｌｅｖｅｌ）には、ダウンロードの態様を示す値が格納される。例えば、‘０１’は強制ダウンロードを示し、‘００’は、任意ダウンロードを示す。
バージョン指示（ｖｅｒｓｉｏｎ＿ｉｎｄｉｃａｔｏｒ）は、アップデート対象のバージョンの範囲を示す。‘００’は、全バージョンを示し、‘０３’は、指定されたバージョンのみを示す。
【００３４】
開始時刻（ｓｔａｒｔ＿ｔｉｍｅ）は、送信装置１１がソフトウェアの送信を開始する時刻を示す。
配信継続時間（ｄｕｒａｔｉｏｎ）は、送信装置１１がソフトウェアの送信を継続する時間を示す。１個のＭＨ−ＳＤＴＴにおいて、開始時刻（ｓｔａｒｔ＿ｔｉｍｅ）及び配信継続時間（ｄｕｒａｔｉｏｎ）が、複数通り設定可能である。
記述子領域（ｄｅｓｃｒｉｐｔｏｒｓ（））には、ＭＰＵダウンロードコンテンツ記述子とＭＨ−ネットワークダウンロードコンテンツ記述子が記述される。
【００３５】
（ＭＰＵダウンロードコンテンツ記述子のデータ構造）
次に、ＭＰＵダウンロードコンテンツ記述子のデータ構造について説明する。
図８は、ＭＰＵダウンロードコンテンツ記述子の例を示す図である。ＭＰＵダウンロードコンテンツ記述子は、コンパティビリティフラグ（ｃｏｍｐａｔｉｂｉｌｉｔｙ＿ｆｌａｇ）、コンパティビリティ記述子（ｃｏｍｐａｔｉｂｉｌｉｔｙＤｅｓｃｒｉｐｔｏｒ（））、アイテム数（ｎｕｍ＿ｏｆ＿ｉｔｅｍｓ）、アイテム識別（ｉｔｅｍ＿ｉｄ）、アイテムサイズ（ｉｔｅｍ＿ｓｉｚｅ）及びプライベートデータ領域（ｐｒｉｖａｔｅ＿ｄａｔａ＿ｂｙｔｅ）を含む。
【００３６】
コンパティビリティフラグ（ｃｏｍｐａｔｉｂｉｌｉｔｙ＿ｆｌａｇ）は、コンパティビリティ記述子（ｃｏｍｐａｔｉｂｉｌｉｔｙＤｅｓｃｒｉｐｔｏｒ（））の有無を示すフラグである。
コンパティビリティ記述子（ｃｏｍｐａｔｉｂｉｌｉｔｙＤｅｓｃｒｉｐｔｏｒ（））には、上述したコンパティビリティ記述子（図６）と同一の内容が含まれる。ここに、メーカ識別（ｍａｋｅｒ＿ｉｄ）、モデル識別（ｍｏｄｅｌ＿ｉｄ）、及びバージョン識別（ｖｅｒｓｉｏｎ＿ｉｄ）が記述される。なお、アイテムとは、ダウンロードにおいて伝送されるデータ、本実施形態ではソフトウェアを意味する。
【００３７】
プライベートデータ領域（ｐｒｉｖａｔｅ＿ｄａｔａ＿ｂｙｔｅ）の先頭バイトにはダウンロード優先（ｄｏｗｎｌｏａｄ＿ｐｒｉｏｒｉｔｙ）が記述される。ダウンロード優先（ｄｏｗｎｌｏａｄ＿ｐｒｉｏｒｉｔｙ）には、ダウンロード経路として放送と通信のどちらを優先するかを指示する値が格納される。以下の説明では、ダウンロード優先（ｄｏｗｎｌｏａｄ＿ｐｒｉｏｒｉｔｙ）を、「優先フラグ」と呼ぶことがある。
【００３８】
（ＭＨ−ネットワークダウンロードコンテンツ記述子のデータ構造）
次に、ＭＨ−ネットワークダウンロードコンテンツ記述子のデータ構造について説明する。図９は、ＭＨ−ネットワークダウンロードコンテンツ記述子の例を示す図である。ＭＨ−ネットワークダウンロードコンテンツ記述子は、コンパティビリティフラグ（ｃｏｍｐａｔｉｂｉｌｉｔｙ＿ｆｌａｇ）、コンパティビリティ記述子（ｃｏｍｐａｔｉｂｉｌｉｔｙＤｅｓｃｒｉｐｔｏｒ（））、セッションプロトコル番号（ｓｅｓｓｉｏｎ＿ｐｒｏｔｏｃｏｌ＿ｎｕｍｂｅｒ）、再接続回数（ｒｅｔｒｙ）、アドレス種別（ａｄｄｒｅｓｓ＿ｔｙｐｅ）、アドレス種別（ａｄｄｒｅｓｓ＿ｔｙｐｅ）、及びポート番号（ｐｏｒｔ＿ｎｕｍｂｅｒ）を含む。
コンパティビリティフラグ（ｃｏｍｐａｔｉｂｉｌｉｔｙ＿ｆｌａｇ）には、図８に示す例と同様に、コンパティビリティ記述子（ｃｏｍｐａｔｉｂｉｌｉｔｙＤｅｓｃｒｉｐｔｏｒ（））があることを示す値（１）が設定されている。コンパティビリティ記述子（ｃｏｍｐａｔｉｂｉｌｉｔｙＤｅｓｃｒｉｐｔｏｒ（））には、上述したコンパティビリティ記述子（図６）と同一の内容が含まれる。
【００３９】
セッションプロトコル番号（ｓｅｓｓｉｏｎ＿ｐｒｏｔｏｃｏｌ＿ｎｕｍｂｅｒ）は、ネットワークダウンロード、つまり通信伝送路２２を介したダウンロードの際に用いるプロトコル（例えば、ＴＣＰ：Ｔｒａｎｓｍｉｓｓｉｏｎ  Ｃｏｎｔｒｏｌ  Ｐｒｏｔｏｃｏｌ）を示す番号である。アドレス種別（ａｄｄｒｅｓｓ＿ｔｙｐｅ）は、送信元の通信サーバーの所在を示すアドレスの種別を示す番号である。図９に示す例では、アドレスの種別として、ＩＰｖ４、ＩＰｖ６、ＵＲＬ（Ｕｎｉｆｏｒｍ  Ｒｅｓｏｕｒｃｅ  Ｌｏｃａｔｏｒ）のいずれかが指定可能である。アドレスは、送信元の通信サーバー（例えば、サーバー装置２１）の所在を示し、アドレス種別（ａｄｄｒｅｓｓ＿ｔｙｐｅ）で指定された種別で表されたアドレスである。ポート番号（ｐｏｒｔ＿ｎｕｍｂｅｒ）は、当該通信サーバーのポート番号を示す。
【００４０】
（サーバー装置の構成）
次に、サーバー装置２１の構成について説明する。図１０は、本実施形態に係るサーバー装置２１の構成を示すブロック図である。サーバー装置２１は、制御部２１０、通信部２１３及び記憶部２１４を含んで構成される。制御部２１０は、記憶部２１４に記憶されている制御プログラムを実行することにより、配信データ取得部２１１及び配信データ配信部２１２の機能を実現する。制御部２１０は、例えば、ＣＰＵである。
【００４１】
配信データ取得部２１１は、送信装置１１の配信データ取得部１１１で生成されたソフトウェアの配信データと同一の配信データを取得する。配信データ取得部２１１は取得した配信データに含まれるＤＡＭからソフトウェアのメーカ識別（ｍａｋｅｒ＿ｉｄ）、モデル識別（ｍｏｄｅｌ＿ｉｄ）、及びバージョン識別（ｖｅｒｓｉｏｎ＿ｉｄ）を読み取る。配信データ取得部２１１は、読み取ったソフトウェアのメーカ識別（ｍａｋｅｒ＿ｉｄ）、モデル識別（ｍｏｄｅｌ＿ｉｄ）、及びバージョン識別（ｖｅｒｓｉｏｎ＿ｉｄ）と、取得した配信データとを対応付けて記憶部２１４に記憶する。従って、サーバー装置２１には、その時点で送信可能なソフトウェアのうち最新のバージョンのソフトウェアに係る配信データが蓄積される。なお、配信データ取得部２１１は、送信装置１１から当該ソフトウェアの配信データを取得してもよいし、送信装置１１とは独立に当該配信データを取得してもよい。以下の説明ではメーカ識別（ｍａｋｅｒ＿ｉｄ）、モデル識別（ｍｏｄｅｌ＿ｉｄ）、及びバージョン識別（ｖｅｒｓｉｏｎ＿ｉｄ）の組を「ソフトウェア識別」と呼ぶことがある。
【００４２】
配信データ配信部２１２は、受信装置４１から配信要求信号を受信する。配信要求信号は、指定されたソフトウェア識別で識別されるソフトウェアに係る配信データを要求するための信号である。配信データ配信部２１２は、配信要求信号で指定されたソフトウェア識別に対応する配信データを記憶部２１４から読み取る。配信データ配信部２１２は、読み取った配信データを、通信伝送路２２を介して受信装置４１に送信する。
【００４３】
通信部２１３は、外部機器、例えば、送信装置１１及び受信装置４１との間で各種のデータを送信及び受信する。サーバー装置２１の各構成部による送受信は、通信部２１３を介して行われる。通信部２１３は、例えば、通信インタフェースである。
記憶部２１４は、各種のデータを記憶する。記憶部２１４は、記憶媒体、例えば、ＨＤＤ（Ｈａｒｄ−ｄｉｓｋ  Ｄｒｉｖｅ）、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）又はそれらの任意の組み合わせを含んで構成される。
【００４４】
（受信装置の構成）
次に、受信装置４１の構成について説明する。図１１は、本実施形態に係る受信装置４１の構成を示すブロック図である。受信装置４１は、チューナー４１１（検出部）、復号部４１２、分離部４１３、音声復号部４１４、再生部４１５、映像復号部４１６、画面合成部４１７、表示部４１８、通信部４２１、制御部４３１及び記憶部４４１を含んで構成される。
【００４５】
チューナー４１１は、受信処理設備３１から入力されたＩＦ信号について、操作信号で指定された物理チャネルに対応するＩＦ周波数帯域の成分（右旋円偏波成分）を検出する。操作信号は、操作入力部（図示せず）がユーザーの操作入力に応じて生成した操作信号である。操作入力部は、例えば、スイッチ、つまみ、リモートコントローラ等の専用の部材であってもよいし、タッチセンサ等の汎用の部材であってもよい。
チューナー４１１は、当該ＩＦ周波数帯域の成分を当該中心周波数でベースバンド信号である第１多重化データに復調し、復調した第１多重化データを復号部４１２に出力する。また、チューナー４１１は、当該ＩＦ周波数帯域の成分のレベルを示す受信レベル情報を制御部４３１に出力する。
【００４６】
また、チューナー４１１は、ＩＦ信号について上述した手法を用いて制御部４３１から入力された第２周波数情報に対応するＩＦ周波数帯域の成分（左旋円偏波成分）を検出する。第２周波数情報は、送信装置１１から受信した制御情報が示す第２下り伝送チャネルの中心周波数を示す情報である。チューナー４１１は、当該ＩＦ周波数帯域の成分を当該中心周波数でベースバンド信号である第２多重化データに復調し、復調した第２多重化データを復号部４１２に出力する。また、チューナー４１１は、当該ＩＦ周波数帯域の成分のレベルを示す受信レベル情報を制御部４３１に出力する。
【００４７】
復号部４１２は、復調した第１多重化データと第２多重化データ（暗号化されている）を、それぞれ送信装置１１の暗号化部１１６−１、１１６−２で用いられた方式に対応する復号方式（例えば、ＡＥＳ）で復号する。復号部４１２は、復号した第１多重化データと第２多重化データを分離部４１３に出力する。
分離部４１３は、復号部４１２から入力された第１多重化データから番組データ、告知情報及び制御情報に分離する。分離部４１３は、告知情報及び制御情報を制御部４３１に出力する。また、分離部４１３は、番組データから音声データと映像データを抽出する。分離部４１３は、抽出した音声データを音声復号部４１４に出力し、映像データを映像復号部４１６に出力する。分離部４１３は、復号部４１２から入力された第２多重化データから配信データを抽出し、抽出した配信データを制御部４３１に出力する。
【００４８】
音声復号部４１４は、分離部４１３から音声データが入力される。入力された音声データは、所定の音声符号化方式（例えば、ＭＰＥＧ−４  オーディオ）で符号化されたデータである。音声復号部４１４は、符号化に用いられた符号化方式と対応する復号方式で入力された音声データを復号し、復号した音声データを生成する。復号した音声データは、各時刻における音声のレベルを示すデータである。音声復号部４１４は、復号した音声データを再生部４１５に出力する。
再生部４１５は、音声復号部４１４から入力された音声データに基づく音声を再生する。再生部４１５は、例えば、スピーカを含んで構成される。
【００４９】
映像復号部４１６は、分離部４１３から映像データが入力される。入力された映像データは、所定の映像符号化方式（例えば、ＨＥＶＣ：Ｈｉｇｈ  Ｅｆｆｉｃｉｅｎｃｙ  Ｖｉｄｅｏ  Ｃｏｄｉｎｇ）で符号化されたデータである。映像復号部４１６は、符号化に用いられた符号化方式と対応する復号方式で入力された映像データを復号し、復号した映像データを生成する。復号した映像データは、各時刻における映像（フレーム画像）を形成する信号値を示すデータである。映像復号部４１６は、復号した映像データを画面合成部４１７に出力する。
【００５０】
画面合成部４１７は、映像復号部４１６から入力された映像データが示す映像と、制御部４３１から入力された画面データが示す画面とを合成する。画面合成部４１７は、合成により得られた合成映像を示す表示データを表示部４１８に出力する。
表示部４１８は、画面合成部４１７から入力された表示データが示す合成映像を再生する。表示部４１８は、例えば、ディスプレイを含んで構成される。
【００５１】
通信部４２１は、通信伝送路２２を介してサーバー装置２１との間で各種のデータを送信及び受信する。受信装置４１の各構成部による送受信は、通信部４２１を介して行われる。通信部４２１は、例えば、通信インタフェースである。
制御部４３１は、受信装置４１の種々の動作を制御する。例えば、制御部４３１は、分離部４１３から入力された告知情報を解析し、左旋円偏波成分で受信される自装置の動作に係るソフトウェアと当該ソフトウェアの配信条件を特定する。また、制御部４３１は、チューナー４１１から入力された受信レベル情報に基づいて左旋円偏波成分と右旋円偏波成分のうち所定の偏波成分の受信状態を判定する。制御部４３１は、右旋円偏波成分を受信でき、かつ、左旋円偏波成分を受信できないと判定するとき、第１通知情報を示す第１画面データを画面合成部４１７に出力する。第１通知情報は、左旋円偏波の受信設備の未接続によるソフトウェアの受信不能を示す情報である。制御部４３１は、右旋円偏波成分と左旋円偏波成分を受信できないと判定するとき、第２通知情報を示す第２画面データを画面合成部４１７に出力する。第２通知情報は、受信障害によるソフトウェアの受信不能を示す情報である。制御部４３１の機能構成については後述する。
【００５２】
記憶部４４１は、各種のデータを記憶する。例えば、記憶部４４１には、上述の第１画面データと第２画面データを予め記憶させておく。記憶部４４１は、記憶媒体、例えば、ＨＤＤ（Ｈａｒｄ−ｄｉｓｋ  Ｄｒｉｖｅ）、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）又はそれらの組み合わせを含んで構成される。
【００５３】
（制御部の構成）
次に、本実施形態に係る制御部４３１の構成について説明する。図１２は、本実施形態に係る制御部４３１の構成を示すブロック図である。制御部４３１は、制御情報解析部４３２、告知情報解析部４３３、受信状態判定部４３４、通知部４３５、受信経路判定部４３６及びソフトウェア取得部４３７を含んで構成される。
【００５４】
制御情報解析部４３２は、分離部４１３から入力された制御情報から配信データの配信に係るネットワーク情報として、ＴＬＶストリーム毎の周波数（ｆｒｅｑｕｅｎｃｙ）、偏波（ｐｏｌａｒｉｓａｔｉｏｎ）の各領域から中心周波数、偏波特性を読み取る。ここで、制御情報解析部４３２は、第２多重化データ（配信データ）に係るＴＬＶストリームの周波数（ｆｒｅｑｕｅｎｃｙ）領域から第１下り伝送チャネルの中心周波数を読み取り、偏波（ｐｏｌａｒｉｓａｔｉｏｎ）領域に記述された偏波特性（右旋円偏波）を示す符号を読み取る。制御情報解析部４３２は、読み取った第１下り伝送チャネルの中心周波数を示す第１周波数情報と偏波特性（右旋円偏波）を示す符号とを対応付けて受信状態判定部４３４に出力する。また、制御情報解析部４３２は、第２多重化データ（配信データ）に係るＴＬＶストリームの周波数（ｆｒｅｑｕｅｎｃｙ）領域から第２下り伝送チャネルの中心周波数を読み取り、偏波（ｐｏｌａｒｉｓａｔｉｏｎ）領域に記述された偏波特性（左旋円偏波）を示す符号を読み取る。制御情報解析部４３２は、読み取った第２下り伝送チャネルの中心周波数を示す第２周波数情報と偏波特性（左旋円偏波）を示す符号とを対応付けて受信状態判定部４３４に出力する。また、制御情報解析部４３２は、第２周波数情報をチューナー４１１に出力する。
【００５５】
告知情報解析部４３３は、分離部４１３から入力された告知情報から開始時刻（ｓｔａｒｔ＿ｔｉｍｅ）と配信継続時間（ｄｕｒａｔｉｏｎ）を抽出し、配信時間を特定する。告知情報解析部４３３は、告知情報からメーカ識別（ｍａｋｅｒ＿ｉｄ）、モデル識別（ｍｏｄｅｌ＿ｉｄ）、及びバージョン識別（ｖｅｒｓｉｏｎ＿ｉｄ）を抽出し、受信対象のソフトウェアを特定する。告知情報解析部４３３は、告知情報から優先フラグ（ｄｏｗｎｌｏａｄ＿ｐｒｉｏｒｉｔｙ）を抽出する。告知情報解析部４３３は、告知情報から通信での送信元のサーバー装置２１のアドレスを抽出する。告知情報解析部４３３は、抽出した優先フラグ（ｄｏｗｎｌｏａｄ＿ｐｒｉｏｒｉｔｙ）を受信経路判定部４３６に出力する。告知情報解析部４３３は、抽出した開始時刻（ｓｔａｒｔ＿ｔｉｍｅ）、配信継続時間（ｄｕｒａｔｉｏｎ）、メーカ識別（ｍａｋｅｒ＿ｉｄ）、モデル識別（ｍｏｄｅｌ＿ｉｄ）、バージョン識別（ｖｅｒｓｉｏｎ＿ｉｄ）及びアドレスをソフトウェア取得部４３７に出力する。
【００５６】
受信状態判定部４３４は、分離部４１３から入力された受信レベル情報が示すＩＦ周波数帯域の成分毎の受信状態を判定する。図１３（ａ）に例示するように、受信状態判定部４３４は、制御情報解析部４３２から入力された第１周波数情報、第２周波数情報それぞれに対応するＩＦ周波数帯域ｉｂ１、ｉｂ２の成分（右旋円偏波成分、左旋円偏波成分）のレベルが、所定のレベルの閾値Ｌｄよりも高い場合、それぞれの成分を受信できると判定する。これに対し、図１３（ｂ）は、ＩＦ周波数帯域ｉｂ１の成分（右旋円偏波成分）のレベルが閾値Ｌｄを超え、ＩＦ周波数帯域ｉｂ２の成分（左旋円偏波成分）のレベルが閾値Ｌｄ以下であることを示す。この場合には、受信状態判定部４３４は、ＩＦ周波数帯域ｉｂ１の成分（右旋円偏波成分）を受信できると判定し、かつＩＦ周波数帯域ｉｂ２の成分（左旋円偏波成分）は受信できないと判定する。また、この場合には、受信状態判定部４３４は、左旋円偏波成分の受信に対応していないと判定する。
【００５７】
なお、受信状態判定部４３４は、ＩＦ周波数帯域ｉｂ１の成分（右旋円偏波成分）及びＩＦ周波数帯域ｉｂ２の成分（左旋円偏波成分）ともに受信できないと判定するとき、受信障害が発生していると判定する。左旋円偏波成分は、上述したように第２多重化データを形成する配信データを搬送する成分であるが、右旋円偏波成分の受信状態も考慮することにより、受信できない原因として左旋円偏波を受信するための設備が不備であるか否かが特定される。受信状態判定部４３４は、判定した受信状態を示す受信状態情報を生成し、生成した受信状態情報を通知部４３５及び受信経路判定部４３６に出力する。
【００５８】
図１２に戻り、通知部４３５は、受信状態判定部４３４から入力された受信状態情報に対応する画面データを記憶部４４１から読み取り、読み取った画面データを画面合成部４１７に出力する。受信状態情報が右旋円偏波成分を受信でき、かつ、左旋円偏波成分を受信できないことを示す場合、通知部４３５は、第１画面データを読み取り、読み取った第１画面データを画面合成部４１７に出力する。よって、左旋円偏波の受信設備の未接続によるソフトウェアの受信不能を示す第１通知情報が表示部４１８に表示される。図１４に示す例では、表示部４１８に表示される第１通知情報ｎｌは、「この受信機には左旋円偏波受信用のアンテナ設備が接続されていないためダウンロードできません。」との文字列を含んで構成される。受信状態情報が右旋円偏波成分、左旋円偏波成分ともに受信できないことを示す場合、通知部４３５は、第２画面データを読み取り、読み取った第２画面データを画面合成部４１７に出力する。その場合には、受信障害によるソフトウェアの受信不能を示す第２通知情報が表示部４１８に表示される。
【００５９】
受信経路判定部４３６は、告知情報解析部４３３で解析された告知情報と受信状態判定部４３４からの受信状態情報に基づいて受信経路を判定する。受信経路判定部４３６は、告知情報解析部４３３から入力された優先フラグ（ｄｏｗｎｌｏａｄ＿ｐｒｉｏｒｉｔｙ）に基づいてソフトウェアをダウンロードする受信経路を判定する。例えば、優先フラグ（ｄｏｗｎｌｏａｄ＿ｐｒｉｏｒｉｔｙ）に設定された値が０ｘ０１または０ｘ０２である場合は、受信経路判定部４３６は、最初に放送でダウンロードすると判定し、ダウンロードに失敗した場合に受信経路を通信と定める。優先フラグ（ｄｏｗｎｌｏａｄ＿ｐｒｉｏｒｉｔｙ）に設定された値が０ｘ０３である場合は、受信経路判定部４３６は、最初に通信でダウンロードすると判定し、ダウンロードに失敗した場合に受信経路を放送と定める。受信経路判定部４３６は、通信と放送のどちらを受信経路として用いるかを示す受信経路信号をソフトウェア取得部４３７に出力する。
【００６０】
ソフトウェア取得部４３７は、告知情報解析部４３３から入力される開始時刻（ｓｔａｒｔ＿ｔｉｍｅ）と配信継続時間（ｄｕｒａｔｉｏｎ）で特定される配信時間において、受信経路判定部４３６から入力される受信経路信号が示す受信経路を介してソフトウェアを取得する。ソフトウェア取得部４３７が取得すべきソフトウェアは、告知情報解析部４３３から入力されたメーカ識別（ｍａｋｅｒ＿ｉｄ）、モデル識別（ｍｏｄｅｌ＿ｉｄ）、及びバージョン識別（ｖｅｒｓｉｏｎ＿ｉｄ）で特定される。当該受信経路が放送である場合には、ソフトウェア取得部４３７は、当該ソフトウェアの配信データを分離部４１３から入力する。当該受信経路が通信である場合には、ソフトウェア取得部４３７は、当該ソフトウェアを要求するための配信要求信号を生成し、生成した配信要求信号を告知情報解析部４３３から入力されたアドレスで特定されるサーバー装置２１に送信する。ソフトウェア取得部４３７は、配信要求信号に対する応答として、サーバー装置２１から要求されたソフトウェアに係る配信データを受信することができる。
【００６１】
ソフトウェア取得部４３７は、入力または受信した配信データを構成するＭＰＵを順次連結してソフトウェアを再構成する。ソフトウェア取得部４３７は、再構成したソフトウェアを、当該ソフトウェアを特定するメーカ識別（ｍａｋｅｒ＿ｉｄ）、モデル識別（ｍｏｄｅｌ＿ｉｄ）、及びバージョン識別（ｖｅｒｓｉｏｎ＿ｉｄ）と対応付けて記憶部４４１に記憶する。
なお、告知情報に受信対象のソフトウェアの起動を指示する記述子が含まれている場合には、制御部４３１は、取得したソフトウェアを起動し、その機能を実行してもよい。
【００６２】
（受信装置の動作）
次に、受信装置４１の動作について説明する。図１５は、本実施形態に係る受信装置４１の動作を示すフローチャートである。
（ステップＳ１０１）分離部４１３は、チューナー４１１で検出された右旋円偏波成分を復調して得られる第１多重化データから告知情報（ＭＨ−ＳＤＴＴ）を取得する。その後、ステップＳ１０２に進む。
（ステップＳ１０２）告知情報解析部４４３は、告知情報（ＭＨ−ＳＤＴＴ）を解析してソフトウェアの取得条件として、取得対象のソフトウェア、配信時間を特定する。その後、ステップＳ１０３に進む。
【００６３】
（ステップＳ１０３）受信状態判定部４３４は、左旋円偏波成分の受信状態を判定する。受信可能と判定された場合（ステップＳ１０３  ＹＥＳ）、ステップＳ１０７に進む。受信不能と判定された場合（ステップＳ１０３  ＮＯ）、ステップＳ１０４に進む。
（ステップＳ１０４）受信状態判定部４３４は、右旋円偏波成分の受信状態を判定する。受信可能と判定された場合（ステップＳ１０４  ＹＥＳ）、ステップＳ１０５に進む。受信不能と判定された場合（ステップＳ１０４  ＮＯ）、ステップＳ１０６に進む。
【００６４】
（ステップＳ１０５）通知部４３５は、記憶部４４１から読み取った第１画面データを画面合成部４１７に出力する。通知部４３５は、この出力により左旋円偏波の受信設備の未接続によるソフトウェアの受信不能を示す第１通知情報を表示部４１８に表示させる。その後、図１５に示す処理を終了する。
（ステップＳ１０６）通知部４３５は、記憶部４４１から読み取った第２画面データを画面合成部４１７に出力する。通知部４３５は、この出力により受信障害（例えば、降雨減衰）によるソフトウェアの受信不能を表示部４１８に表示させる。その後、図１５に示す処理を終了する。
（ステップＳ１０７）ソフトウェア取得部４３７は、左旋円偏波成分で搬送された配信データが示すソフトウェアを取得し、取得した配信データを記憶部４４１に記憶する。その後、図１５に示す処理を終了する。
【００６５】
以上に説明したように、本実施形態に係る受信装置４１は、受信した放送波に含まれる複数の偏波成分を検出するチューナー４１１と、複数の偏波成分のうち自装置の動作に係るソフトウェアを搬送する所定の偏波成分の受信状態を判定する受信状態判定部４３４とを備える。また、受信装置４１は、所定の偏波成分の受信状態に関する通知情報を出力する通知部４３５を備える。
この構成により、ユーザーに所定の偏波成分で搬送されたソフトウェアの受信状態を通知することができる。そのため、ユーザーは当該ソフトウェアを搬送する所定の偏波成分を受信するための措置、例えば、当該偏波成分の受信設備の設置、検査、等が促される。
【００６６】
また、受信装置４１において、複数の偏波成分のうち所定の偏波成分とは異なる第１の偏波成分で搬送される告知情報であって、受信装置４１の動作に係るソフトウェアの配信条件を示す告知情報を解析する告知情報解析部４３３をさらに備える。また、第１の偏波成分が受信でき、所定の偏波成分である第２の偏波成分が受信できないと判定されたとき、通知部４３５は、ソフトウェアを受信できないことを示す通知情報を通知する。
この構成により、受信した告知情報が示す配信条件で配信される当該ソフトウェアが受信できない事由として、第２の偏波成分を受信可能な受信設備を有していないことを特定し、他の事由、例えば、降雨減衰等による受信障害と区別することができる。また、当該告知情報が大多数の受信設備で受信可能な第１の偏波成分で配信されることにより、当該ソフトウェアの更新ならびにその配信条件が通知される。
【００６７】
また、第１の偏波成分は右旋円偏波成分であり、第２の偏波成分は左旋円偏波成分である。これにより、放送波を受信するアンテナの構成部を特定の方向に配列する必要がないため、簡素な構成のアンテナを備えた受信設備が利用可能になる。
【００６８】
（第２の実施形態）
本発明の第２の実施形態について、図面を参照しながら説明する。上述した実施形態と同一の構成については、同一の符号を付して説明を援用する。
本実施形態に係る受信装置４１において、受信状態判定部４３４は、判定した受信状態を示す受信状態情報を記憶部４４１に記憶する。記憶部４４１には、各偏波成分の受信状態の履歴が形成される。受信状態判定部４３４は、記憶部４４１から過去に記憶された受信状態情報を読み取り、読み取った受信状態情報に基づいて第２周波数情報に対応するＩＦ周波数帯域の成分（左旋円偏波成分）の受信に成功した履歴の有無を判定する。当該受信状態情報がないことは、左旋円偏波成分を受信できたことがないことを示す。受信状態判定部４３４は、左旋円偏波成分の受信に成功した履歴がない場合、その時点において左旋円偏波成分を受信できるか否かを判定せずに、右旋円偏波成分を受信できるか否かを判定する。受信状態判定部４３４は、左旋円偏波成分を受信に成功した履歴がある場合、上述した手法を用いて左旋円偏波成分、右旋円偏波成分それぞれについて受信できるか否かを判定する。
【００６９】
左旋円偏波成分の受信に成功した履歴がなく、かつ、右旋円偏波成分を受信できると判定された場合、通知部４３５は、通知部４３５は、上述した第１画面データを読み取り、読み取った第１画面データを画面合成部４１７に出力する。よって、左旋円偏波の受信設備の未接続によるソフトウェアの受信不能を示す第１通知情報が表示部４１８に表示される。
左旋円偏波成分の受信に成功した履歴がなく、かつ、右旋円偏波成分を受信できない判定された場合、通知部４３５は、通知部４３５は、上述した第２画面データを読み取り、読み取った第２画面データを画面合成部４１７に出力する。よって、受信障害によるソフトウェアの受信不能を示す第２通知情報が表示部４１８に表示される。
【００７０】
（受信装置の動作）
次に、受信装置４１の動作について説明する。図１６は、本実施形態に係る受信装置４１の動作を示すフローチャートである。図１６に示す処理は、ステップＳ１０１〜Ｓ１０７とステップＳ１１３を有する。ステップＳ１０１〜Ｓ１０７に示す処理については、上述した説明を援用する。但し、ステップＳ１０２の処理が終了した後、ステップＳ１１３に進む。
【００７１】
（ステップＳ１１３）受信状態判定部４３４は、記憶部４４１から過去に記憶された受信状態情報を読み取り、読み取った受信状態情報に基づいて左旋円偏波成分の受信に成功した履歴の有無を判定する。あると判定された場合には（ステップＳ１１３  ＮＯ）、ステップＳ１０３に進む。ないと判定された場合には（ステップＳ１１３  ＹＥＳ）、ステップＳ１０４に進む。
ステップＳ１０３において、受信状態判定部４３４は、左旋円偏波成分の受信状態を示す受信状態情報を記憶部４４１に記憶する。ステップＳ１０４において、受信状態判定部４３４は、右旋円偏波成分の受信状態を示す受信状態情報を記憶部４４１に記憶する。
なお、図１６に示す処理は、図１５に示す処理が所定回数以上もしくは所定期間以上実行された後に実行されてもよい。また、例えば、受信処理設備３１を更新もしくは検査した後に、ユーザーの操作による操作信号の入力に応じて受信状態判定部４３４は、記憶部４４１に記憶した受信状態情報を消去（リセット）してもよい。
【００７２】
以上に説明したように、本実施形態に係る受信装置４１において、受信状態判定部４３４が第２の偏波成分（例えば、左旋円偏波成分）の受信に成功した履歴がなく、第１の偏波成分（例えば、右旋円偏波成分）を受信できると判定する場合、通知部４３５は第２の偏波成分で搬送される受信装置４１の動作に係るソフトウェアを受信できないことを通知する通知情報を出力する。
第２の偏波成分の受信に成功した履歴がない場合には、当該偏波成分を受信するための受信設備に接続されていないことが推定されるため、この構成により、逐次に第２の偏波成分の受信の可否を判定する処理を省略することができる。
【００７３】
（第３の実施形態）
本発明の第３の実施形態について、図面を参照しながら説明する。上述した実施形態と同一の構成については、同一の符号を付して説明を援用する。
本実施形態に係る受信装置４１において受信経路判定部４３６は、受信状態判定部４３４から入力された受信状態情報が、左旋円偏波成分を受信できないことを示す場合、受信経路を通信と判定する。その場合には、ソフトウェア取得部４３７は、通信、即ちネットワーク経由でソフトウェアを取得する。
【００７４】
（受信装置の動作）
次に、受信装置４１の動作について説明する。図１７は、本実施形態に係る受信装置４１の動作を示すフローチャートである。図１７に示す処理は、ステップＳ１０１〜Ｓ１０７とステップＳ１２８を有する。ステップＳ１０１〜Ｓ１０７に示す処理は、上述した説明を援用する。但し、ステップＳ１０５、Ｓ１０６に示す処理の終了後、ステップＳ１２８に進む。
【００７５】
（ステップＳ１２８）受信経路判定部４３６は、受信状態判定部４３４から入力された受信状態情報が、左旋円偏波成分を受信できないことを示す場合、受信経路を通信と判定する。ソフトウェア取得部４３７は、ネットワーク経由でソフトウェアを取得する。その後、図１７に示す処理を終了する。
なお、図１７に示す処理は、図１５に示す処理の後に、ステップＳ１２８の処理を有する場合を例にするが、これには限られない。図１６に示す処理の後に、ステップＳ１２８の処理が実行されてもよい。
【００７６】
以上に説明したように、本実施形態に係る受信装置４１は、所定の偏波成分である第２の偏波成分（例えば、左旋円偏波成分）が受信できないと判定されたとき、受信装置４１の動作に係るソフトウェアの受信経路を通信と判定する受信経路判定部４３６を備える。
この構成により、ソフトウェア取得部４３７は、通信により当該ソフトウェアを取得するので、受信装置４１において確実に当該ソフトウェアを更新することができる。
【００７７】
なお、本発明は上述した各実施形態に限定されるものではなく、特許請求の範囲に示した範囲で種々の変更が可能であり、異なる実施形態にそれぞれ開示された技術的構成を適宜組み合わせて得られる実施形態についても本発明の技術的範囲に含まれる。
また、本発明の各構成要素は、任意に取捨選択することができ、取捨選択した構成を具備する発明も本発明に含まれるものである。
【００７８】
例えば、送信装置１１とサーバー装置２１は、単一の送信装置として構成されてもよい。また、送信装置１１の変調部１１７−１、１１７−２、アンテナ１１８−１、１１８−２のいずれか又はそれらの組み合わせは、送信装置１１のその他の部分と別体であってもよい。
受信装置４１の再生部４１５と表示部４１８のいずれか又は両者は、受信装置４１のその他の部分と別体であってもよい。また、通知情報は、再生部４１５から音声で通知されてもよい。
【００７９】
上述した実施形態では、送信装置１１が放送伝送路１２を介して受信処理設備３１に各種のデータを伝送する際、主に右旋円偏波と左旋円偏波を用いる場合を例にしたが、複数の伝送チャネル間で互いに偏波特性が異なる、好ましくは直交する偏波が用いられればよい。例えば、水平偏波と垂直偏波が用いられてもよい。また、チューナー４１１は、受信処理設備３１から入力されたＩＦ信号のＩＦ周波数帯域に応じて各偏波成分を抽出することができれば、図１３に示すように必ずしも右旋円偏波成分の方が左旋円偏波成分の方が高域でなくてもよい。例えば、ＩＦ信号では、偏波成分間で周波数帯域が重複していなければ右旋円偏波成分の方が左旋円偏波成分よりも低域であってもよい。
【００８０】
また、上述した実施形態では、各種のデータを伝送するための伝送方式として、ＭＰＥＧ−Ｈで規定されたＭＭＴ（ＭＰＥＧ  Ｍｅｄｉａ  Ｔｒａｎｓｐｏｒｔ）によるメディアトランスポート方式を用いる場合を例にしたが、その他の伝送方式、例えば、ＭＰＥＧ−２  Ｓｙｓｔｅｍｓで規定された方式が用いられていてもよい。また、伝送に係るデータ形式、暗号化方式、符号化方式も、その伝送方式で規定された形式または方式が用いられてもよい。例えば、ソフトウェアを示す配信データは、ＤＡＭ、ＭＰＵに代えて、ＤＩＩ（Ｄｏｗｎｌｏａｄ  Ｉｎｆｏ  Ｉｎｄｉｃａｔｉｏｎ）メッセージ、ＤＤＢ（Ｄｏｗｎｌｏａｄ  Ｄａｔａ  Ｂｌｏｃｋ）メッセージとして伝送されてもよい。
【００８１】
また、上述した実施形態における送信装置１１の一部、サーバー装置２１の一部、受信装置４１の一部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、認識データ伝送装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバーやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００８２】
なお、本発明は次の態様でも実施することができる。
（１）受信した放送波に含まれる複数の偏波成分を検出する検出部と、前記複数の偏波成分のうち自装置の動作に係るソフトウェアを搬送する所定の偏波成分の受信状態を判定する受信状態判定部と、前記所定の偏波成分の受信状態に関する通知情報を出力する通知部と、を備える受信装置。
【００８３】
（２）前記複数の偏波成分のうち前記所定の偏波成分とは異なる第１の偏波成分で搬送される告知情報であって、前記ソフトウェアの配信条件を示す告知情報を解析する告知情報解析部をさらに備え、前記第１の偏波成分が受信でき、前記所定の偏波成分である第２の偏波成分が受信できないと判定されたとき、前記通知部は、前記通知情報として前記ソフトウェアを受信できないことを通知する（１）の受信装置。
【００８４】
（３）前記第２の偏波成分が受信できないと判定されたとき、前記ソフトウェアの受信経路を通信と判定する受信経路判定部、を備える（２）の受信装置。
【００８５】
（４）前記第１の偏波成分は右旋円偏波成分であり、前記第２の偏波成分は左旋円偏波成分である（２）または（３）の受信装置。
【００８６】
（５）前記受信状態判定部が前記第２の偏波成分の受信に成功した履歴がなく、前記第１の偏波成分を受信できると判定する場合、前記通知部は前記通知情報を出力する（２）から（４）のいずれかの受信装置。
【００８７】
（６）送信装置と受信装置とを備える放送システムであって、前記送信装置は、複数種類のデータの一部である前記受信装置の動作に係るソフトウェアと他の一部をそれぞれ搬送する偏波成分であって、互いに偏波特性が異なる偏波成分を含む放送波を送信し、前記受信装置は、受信した放送波に含まれる複数の偏波成分を検出する検出部と、前記検出部が検出した偏波成分のうち前記データの一部を搬送する所定の偏波成分の受信状態を判定する受信状態判定部と、前記所定の偏波成分の受信状態に関する通知情報を出力する通知部と、を備える放送システム。
【００８８】
（７）受信装置における受信方法であって、受信した放送波に含まれる複数の偏波成分を検出する検出過程と、前記複数の偏波成分のうち自装置の動作に係るソフトウェアを搬送する所定の偏波成分の受信状態を判定する受信状態判定過程と、前記所定の偏波成分の受信状態に関する通知情報を出力する通知過程と、を有する受信方法。
【００８９】
（８）受信装置のコンピュータに、受信した放送波に含まれる複数の偏波成分を検出する検出手順、前記複数の偏波成分のうち自装置の動作に係るソフトウェアを搬送する所定の偏波成分の受信状態を判定する受信状態判定手順、前記所定の偏波成分の受信状態に関する通知情報を出力する通知手順、を実行させるための受信プログラム。
【符号の説明】
【００９０】
１…放送システム、１１…送信装置、１１１…配信データ取得部、１１２…番組データ生成部、１１３…告知情報取得部、１１４…制御情報取得部、１１５…多重化部、１１６−１、１１６−２…暗号化部、１１７−１、１１７−２…変調部、１１８−１、１１８−２…アンテナ、１２…放送伝送路、１３…放送衛星、２１…サーバー装置、２１０…制御部、２１１…配信データ取得部、２１２…配信データ配信部、２１３…通信部、２１４…記憶部、２２…通信伝送路、３１…受信処理設備、４１…受信装置、４１１…チューナー、４１２…復号部、４１３…分離部、４１４…音声復号部、４１５…再生部、４１６…映像復号部、４１７…画面合成部、４１８…表示部、４２１…通信部、４３１…制御部、４３２…制御情報解析部、４３３…告知情報解析部、４３４…受信状態判定部、４３５…通知部、４３６…受信経路判定部、４３７…ソフトウェア取得部、４４１…記憶部
【図１】
0006433289.tif 000002
【図２】
0006433289.tif 000003
【図３】
0006433289.tif 000004
【図４】
0006433289.tif 000005
【図５】
0006433289.tif 000006
【図６】
0006433289.tif 000007
【図７】
0006433289.tif 000008
【図８】
0006433289.tif 000009
【図９】
0006433289.tif 000010
【図１０】
0006433289.tif 000011
【図１１】
0006433289.tif 000012
【図１２】
0006433289.tif 000013
【図１３】
0006433289.tif 000014
【図１４】
0006433289.tif 000015
【図１５】
0006433289.tif 000016
【図１６】
0006433289.tif 000017
【図１７】
0006433289.tif 000018